(57)【特許請求の範囲】
【請求項１】
本体ケース内に設けられ、温水循環時には温水を上部ポートを介して通過させ、下部ポートを介して流出させて浄化する浄化槽と、
本体ケース内に設けられ、浄化槽から流出した温水を温水流通管を介して流入させて加熱殺菌する加熱殺菌槽と、
本体ケース内に設けられるとともに、流入ポート及び複数の温水流通ポートを備え、温水循環時には浴槽内の温水を前記温水流通ポートのうちいずれかの温水流通ポートを介して浄化槽の上部ポートへ導くとともに、浄化槽の逆洗浄時には浴槽内の温水を前記温水流通ポートのうちいずれかの温水流通ポートを介して下部ポートへ導き浄化槽内の温水を循環時の流通方向と反対方向に流通させるように温水の流路を切換可能な五方切換弁とを備えた温水循環処理装置において、
温水循環時もしくは浄化槽の逆洗浄時に温水流通管を介して浴槽内の温水が流入されるように前記五方切換弁の上部には流入ポートを設けるとともに、温水循環時もしくは浄化槽の逆洗浄時に温水流通管を介して温水の流入もしくは排水されるように前記五方切換弁の側部には温水流通ポートをほぼ等間隔に離間して設け、前記五方切換弁は浄化槽と加熱殺菌槽との間でかつ本体ケースの上部に配置されるとともに、温水流通ポートの軸線は本体ケースの壁面に対して斜め方向に交差するように配置されていることを特徴とする温水循環処理装置。
【発明の詳細な説明】
【０００１】
【産業上の利用分野】
本発明は浴槽内の温水を循環させながら浄化、加熱処理する温水循環処理装置であって、詳しくは温水の流路を切り換え可能な切換弁を備えた温水循環処理装置に関するものである。
【０００２】
【従来の技術】
従来、この種の温水循環処理装置においては、図１４に示すように、本体ケース５０内には循環ポンプ５１、浄化槽５２、切換弁５３、殺菌装置５４等が収容されている。前記切換弁５３は本体ケース５０の下部に設けられ、温水循環時と、浄化槽５２の逆洗浄時に温水の流路を切り換えるためのものである。切換弁５３の下面には温水循環時もしくは浄化槽の逆洗浄時に温水の流入もしくは排水される温水流通ポート５５が設けられ、各温水流通ポート５５は温水流通管５６を介して前記温水循環処理部品５１〜５４に接続されている。
【０００３】
そして、温水循環時において、浴槽の温水は循環ポンプ５１にて汲み上げられ、殺菌装置５４、切換弁５３、浄化槽５２に流入される。循環される温水中に含まれる人体からの老廃物は、殺菌装置５４を通過する際に殺菌され、浄化槽５２内を通過する際に除去される。その後、浄化された温水は浴槽内に戻される。
【０００４】
また、切換弁５３を操作することにより、温水の循環方向が温水循環時の逆方向に切換られる。すなわち、浄化槽５２の洗浄時において、浴槽の温水は循環ポンプにて汲み上げられ、温水循環時とは逆方向から浄化槽５２内に流入される。そして、その温水の流圧にて浄化槽５２内に設けられた浄化石等が攪拌されることにより、浄化石の表面に付着した汚れが除去される。その後、汚れとともに温水は浴槽外へ排水される。
【０００５】
【発明が解決しようとする課題】
ところが、従来の温水循環処理装置においては、切換弁５３の下部に温水流通管５６を廻して接続しているため、切換弁５３の下方付近に温水流通ポート５５に対する温水流通管５６の接続スペースを確保しなければならない。そのため、本体ケース５０の上下方向の寸法が長くなるという問題がある。
【０００６】
そこで、切換弁５３の側方へ温水流通ポート５５を設けることも考えられる。しかし、温水流通ポート５５の軸線と本体ケース５０の側壁とが直交する方向に切換弁５３を配置すれば、温水流通ポート５５と本体ケース５０の側壁との間に温水流通ポート５５に対する温水流通管５６の接続スペースを確保しなければならない。そのため、本体ケース５０の幅方向の寸法が長くなってしまう。
【０００７】
また、切換弁５３の下面に温水流通ポート５５の配置スペースを確保する必要があるため、その底面積は大きくなる。そのため、切換弁５３が大型化し、それを収容する本体ケース６も大型化するという問題もある。
【０００８】
この発明は、上記従来の技術に存在する問題点に着目してなされたものであって、その目的は、本体ケース全体を小型化可能な温水循環処理装置を提供することにある。
【０００９】
【課題を解決するための手段】
上記問題点を解決するために請求項１の発明は、本体ケース内に設けられ、温水循環時には温水を上部ポートを介して通過させ、下部ポートを介して流出させて浄化する浄化槽と、本体ケース内に設けられ、浄化槽から流出した温水を温水流通管を介して流入させて加熱殺菌する加熱殺菌槽と、本体ケース内に設けられるとともに、流入ポート及び複数の温水流通ポートを備え、温水循環時には浴槽内の温水を前記温水流通ポートのうちいずれかの温水流通ポートを介して浄化槽の上部ポートへ導くとともに、浄化槽の逆洗浄時には浴槽内の温水を前記温水流通ポートのうちいずれかの温水流通ポートを介して下部ポートへ導き浄化槽内の温水を循環時の流通方向と反対方向に流通させるように温水の流路を切換可能な五方切換弁とを備えた温水循環処理装置において、温水循環時もしくは浄化槽の逆洗浄時に温水流通管を介して浴槽内の温水が流入されるように前記五方切換弁の上部には流入ポートを設けるとともに、温水循環時もしくは浄化槽の逆洗浄時に温水流通管を介して温水の流入もしくは排水されるように前記五方切換弁の側部には温水流通ポートをほぼ等間隔に離間して設け、前記五方切換弁は浄化槽と加熱殺菌槽との間でかつ本体ケースの上部に配置されるとともに、温水流通ポートの軸線は本体ケースの壁面に対して斜め方向に交差するように配置されていることを要旨とするものである。
【００１１】
【作用】
このように構成された請求項１の発明は、温水流通ポートが五方切換弁の側部に等間隔に離間して設けられているので、本体ケースの上下方向の寸法は短くなる。しかも、温水流通ポートの軸線は本体ケースの壁面に対して斜めに交差しているので、温水流通ポートと本体ケースの壁面間には、温水流通ポートに対する温水流通管の接続スペースは確保される。従って、五方切換弁と本体ケースの壁面との近接配置が可能となり、本体ケースの幅方向の寸法は短くなる。従って、本体ケース全体は小型化される。
【００１２】
また、五方切換弁は浄化槽と加熱殺菌槽との間でかつ本体ケースの上部に配置されているため、五方切換弁の下方における温水流通ポートに対する温水流通管の接続スペースは広くなる。
【００１３】
【実施例】
以下、本発明を具体化した一実施例を図面に基づいて説明する。なお、図１を温水循環処理装置の正面とする。
【００１４】
図１，図１３に示すように、温水循環処理装置１は家庭用の浴槽２付近に設置されている。温水循環処理装置１の下部には基台３が設けられ、同基台３の上部側壁には図示しない吸水ポートを介して吸水管４が貫通されている。また、基台３の上部側壁には図示しない吐水ポートを介して吐水管５が貫通されている。そして、浴槽２内の温水は吸水管４を介して温水循環処理装置１内へ吸水されるとともに、温水循環処理装置１からの温水が吐水管５を介して浴槽２内に排出される。
【００１５】
図１に示すように、基台３上には本体ケース６が着脱可能に取付けられている。本体ケース６内には循環ポンプ７、五方切換弁８、浄化槽９及び加熱殺菌槽１０が設けられている。まず、各機器７〜１０の接続構造について説明する。前記吸水管４の他端は循環ポンプ７の流入口７ａに接続されている。循環ポンプ７の流出口７ｂは流路管１１ａを介して五方切換弁８の流入ポートＰｅに接続されている。流路管１１ａ上には流量センサ２３が設けられている。流量センサ２３にて流路管１１ａを流れる温水の流量が検知され、所定量以下の場合図示しない制御回路が温水循環処理装置１の運転を停止するようになっている。
【００１６】
図１〜図３に示すように、五方切換弁８には温水流通ポートとしての第一〜第四ポートＰ1〜Ｐ4が備えられている。五方切換弁８の第一ポートＰ1は温水流路管としての流路管１１ｂを介して浄化槽９の一次側ポートとしての上部ポート９ａに接続されている。浄化槽９の二次側ポートとしての下部ポート９ｂは二股状をなす流路管１１ｃを介して加熱殺菌槽１０の流入口１０ａ，１０ｂに接続されている。流路管１１ｃの右端には水抜き管１３の一端が接続され、その他端は基台３の正面右側壁に貫通支持されている。水抜き管１３にはニップル１４が着脱可能に接続されている。
【００１７】
加熱殺菌槽１０の流出口１０ｃは温水流通管としての流路管１１ｄを介して五方切換弁８の第三ポートＰ３  に接続されている。五方切換弁８の第二ポートＰ２  には、温水流通管としての吐水管５の他端が接続されている。また、五方切換弁８の第四ポートＰ４  には温水流通管としてのドレン管１２（図２，図３のみ図示する）の一端が接続されている。ドレン管１２の他端は基台３の上面及び側壁を介して図示しない排水路に延出されている。
【００１８】
加熱殺菌槽１０内には図示しないＵＶランプ及びセラミックヒータが収容されている。そして、温水はＵＶランプにて殺菌されるとともに、セラミックヒータにて加熱されるようになっている。
【００１９】
次に、循環ポンプ７、五方切換弁８、浄化槽９及び加熱殺菌槽１０の組付け構造について説明する。
図１，図２に示すように、基台３の上部側壁には長手方向へ延びる収容溝３ａが形成され、収容溝３ａ内には前記流路管１１ｃが収容されている。基台３の上部側壁の中央付近には、ポンプ支持板１５が上方へ突出形成されている。ポンプ支持板１５には、循環ポンプ７がスポンジ１６ａを介して同ポンプ支持板１５に挿通されたベルト１６ｂにて締付けるようにして取付けられている。
【００２０】
基台３の上部側壁の前後両端縁には、一対の連結板１７が上方へ突出形成されている。各連結板１７には切換弁支持枠１８（図１では図示略）の下端が固定されている。この切換弁支持枠１８は側面逆Ｌ字状をなす第一支持板１８ａと第二支持板１８ｂとから構成され、両板１８ａ，１８ｂはビス１９にて互いに連結されている。第一支持板１８ａの上部側壁には五方切換弁８がビス２０にて互いに着脱可能に締付固定されている。五方切換弁８は本体ケース６の上部かつ、本体ケース６の左右幅の中央付近に位置されている。
【００２１】
前記本体ケース６は正面板６ａ、背面板６ｂ及び上部フレーム６ｃとから構成されている。正面板６ａ、背面板６ｂ及び上部フレーム６ｃは着脱可能に取付けられている。上部フレーム６ｃは正面板６ａ及び背面板６ｂ上端に取付けられている。上部フレーム６ｃの中央付近から右端にかけて段部６ｄが形成され、段部６ｄには加熱殺菌槽１０の上端が着脱可能に螺合されている。段部６ｄの側部及び底部には本体ケース６と外部とを連通する開口部２１が形成されている。また、上部フレーム６ｃには開口部２１を覆うように蓋２２が被せられ、蓋２２は上部フレーム６ｃに対して着脱可能に螺合されている。
【００２２】
上部フレーム６ｃの左端には挿入口２５が形成され、同挿入口２５には周方向に沿って段差部２５ａが形成されている。この挿入口２５には浄化槽９が挿入されている。浄化槽９の上端外周には外方へ延びる係合段部２６が形成されている。そして、浄化槽９の係合段部２６と挿入口２５の段差部２５ａとは互いに係合された状態で、挿入口２５の内周面と浄化槽９の外周面とは接着剤により固定されている。
【００２３】
続いて、本実施例の特徴部分である五方切換弁８について詳細に説明する。図３，図４に示すように、五方切換弁８はケーシング２７を備えている。ケーシング２７は略箱状に形成され、その下面は開口されている。ケーシング２７の上面には取付孔２４が形成され、この取付孔２４には前記流入ポートＰｅが嵌入固定されている。この流入ポートＰｅの先端は上方へ突出されている。また、ケーシング２７の四側面にはそれぞれ取付孔２８が形成され、各取付孔２８には前記各ポートＰ1〜Ｐ4が嵌入固定されている。各ポートＰ1〜Ｐ4の先端は外方へ突出されている。
【００２４】
第一及び第二ポートＰ１  ，Ｐ３  は１８０°反対側に対向配置され、両ポートＰ１  ，Ｐ３  は同一軸線Ｌ１  上に位置している。第三及び第四ポートＰ２  ，Ｐ４  は１８０°反対側に対向配置され、両ポートＰ２  ，Ｐ４  は同一軸線Ｌ２  上に位置している。第一及び第二ポートＰ１  ，Ｐ３  の軸線Ｌ１  と、第三及び第四ポートＰ２  ，Ｐ４  の軸線Ｌ２  とは直交している。また、本体ケース６の正面板６ａ及び背面板６ｂに対する第一〜第四ポートＰ１  〜Ｐ４  の軸線Ｌ１  ，Ｌ２  のなす角度θは約４５°となっている。
【００２５】
ケーシング２７内の下部開口部２７ａには、蓋２９が図示しないボルトにより締付固定されている。この蓋２９の下端にはフランジ２９ａが外方へ突設されている。フランジ２９ａにはモータからなるアクチュエータ３０に植設された植込ボルト３１が挿通され、その植込ボルト３１にはナット３２が螺合されている。そして、ナット３２の締付けにより、ケーシング２７とアクチュエータ３０とは締付固定されている。前記蓋２９にはアクチュエータ３０からのびる駆動軸３３が往復回動可能に支持され、同駆動軸３３の先端はケース２７内に延出されている。
【００２６】
なお、図示しないが、アクチュエータ３０は制御回路に電気的に接続されている。また、図１３に示す本体ケース６の正面に設けられた操作パネルＳの各操作ボタンは制御回路の入力側に接続されている。そして、操作ボタンが操作されることにより、アクチュエータ３０が駆動制御されるようになっている。
【００２７】
図４，図５に示すように、ケーシング２７に設けた各ポートＰ１  〜Ｐ４  の流通孔３５の内端には、ガイドリング３４が固定されている。各ガイドリング３４の内側面は後記する弁体３６の外側面に対応するように断面凹状に湾曲されている。そして、流入ポートＰｅからケーシング２７内に流入した温水は、各流通孔３５を介して各ポートＰ１  〜Ｐ４  から流出入するようになっている。
【００２８】
ガイドリング３４の内方におけるケーシング２７内には、弁体３６が収容されている。弁体３６の外側面は凸状に湾曲形成され、ガイドリング３４の内側面に係合されている。この係合により、弁体３６はガイドリング３４対して往復回動可能に支持されている。
【００２９】
弁体３６の上面中央には温水取入口３７が上方へ突出形成されている。温水取入口３７は流入ポートＰｅの基端に対して往復回動可能に係入されている。弁体３６の下部中央には前記駆動軸３３の先端が嵌入されている。そして、弁体３６は駆動軸３３の往復回動に伴って一体に回動するようになっている。
【００３０】
図５〜図８に示すように、弁体３６内の中央には断面Ｃリング状をなす隔壁３８が形成されている。隔壁３８の両端外側面及び隔壁３８の周方向中央における外側面には、放射状に延びる複数の仕切り壁３９が形成されている。この仕切り壁３９により隔壁３８の外側面と弁体３６の内側面との間の空間は、第一〜第三流通路Ｒ１  〜Ｒ３  に区画されている。そして、第一流通路Ｒ１  には温水が温水循環時、逆洗浄時、洗浄時及び空循環時に流通する。第二流通路Ｒ２  には温水が温水循環時、逆洗浄時に流通する。第三流通路Ｒ３  には温水が洗浄時に流通する。なお、図５〜図８は五方切換弁８の略体断面を示しているが、説明の便宜上ケーシング２７と第一〜第四ポートＰ１  〜Ｐ４  とは一体に示している。
【００３１】
第一流通路Ｒ１  の両端における弁体３６の外側壁には、一対の流出口４０，４１が形成されている。各流出口４０，４１は第一流通路Ｒ１  を介して互いに連通されている。この流出口４０は弁体３６の回動により、第一及び第三ポートＰ１  ，Ｐ３  と対応可能になっている。また、流出口４１は弁体３６の回動により第一及び第二ポートＰ１  ，Ｐ２  と対応可能になっている。
【００３２】
第二流通路Ｒ２  の両端における弁体３６の外側壁には、流出口４２及び流入口４３が形成されている。流出口４２及び流入口４３は第二流通路Ｒ２  を介して互いに連通されている。この流出口４２は弁体３６の回動により、第二及び第四ポートＰ２  ，Ｐ４  と対応可能になっている。また、流入口４３は弁体３６の回動により第一及び第三ポートＰ１  ，Ｐ３  と対応可能になっている。
【００３３】
第三流通路Ｒ３  の両端における弁体３６の外側壁には、流入口４４及び流出口４５が形成されている。流入口４４及び流出口４５は第三流通路Ｒ３  を介して互いに連通されている。この流入口４４は弁体３６の回動により、第四ポートＰ４  と対応可能になっている。また、流出口４５は弁体３６の回動により、第一ポートＰ１  と対応可能になっている。
【００３４】
そして、図示しない制御回路によりアクチュエータ３０にて弁体３６を往復回動することにより、五方切換弁８の切換えが行われ、温水の流路は、温水循環時、逆洗浄時、洗浄時もしくは空循環に応じて切換可能になっている。
【００３５】
次に、上記のように構成された温水循環処理装置の作用について説明する。
（温水循環時）
まず、温水循環時の作用について説明する。図示しない制御回路が弁体３６を図５に示す温水循環位置に切換える。すると、弁体３６の流出口４０と第一ポートＰ１  、弁体３６の流出口４２と第二ポートＰ２  、弁体３６の流入口４３と第三ポートＰ３  とが連通される。循環ポンプ７の駆動により浴槽２内の温水は、図９に示すように、吸水管４を介して循環ポンプ７内に流入する。循環ポンプ７からの温水は流路管１１ａ、五方切換弁８の流入ポートＰｅを介して弁体３６内に流入する。そして、温水は第一流通路Ｒ１  を流れて第一ポートＰ１  から排出され、流路管１１ｂを介して浄化槽９内に流入する。浄化槽９内では温水中に含まれる老廃物が浄化石に接触付着して除去され、温水が浄化される。
【００３６】
浄化槽９から流出した温水は、流路管１１ｃを介して加熱殺菌槽１０内に流入する。加熱殺菌槽１０内で温水は図示しないＵＶランプの紫外線により殺菌されるとともに、図示しないセラミックヒータにより所定温度に加熱される。加熱殺菌槽１０から流出した温水は、流路管１１ｄ、五方切換弁８の第三ポートＰ３  を介して弁体３６内に流入する。そして、温水は第二流通路Ｒ２  を流れて第二ポートＰ２  から排出され、吐水管５を介して浴槽２内へ吐出する。温水は上述した温水循環経路Ｋ１  にて連続的に循環が繰り返される。
【００３７】
（逆洗浄時）
続いて、逆洗浄時の作用について説明する。図示しない制御回路が弁体３６を図６に示す洗浄位置に切換える。すると、弁体３６の流出口４０と第三ポートＰ３  、弁体３６の流出口４２と第四ポートＰ４  、弁体３６の流入口４３と第一ポートＰ１  とが連通される。循環ポンプ７の駆動により浴槽２内の温水は、図１０に示すように、既に説明した温水循環時と同経路で流入ポートＰｅを介して弁体３６内に流入する。そして、温水は第一流通路Ｒ１  を流れて第一ポートＰ３  から排出され、流路管１１ｄを介して加熱殺菌槽１０内に流入する。加熱殺菌槽１０から流出した温水は、流路管１１ｃを介して浄化槽９内に流入する。浄化槽９から流出した温水は流路管１１ｂ、五方切換弁８の第一ポートＰ１  を介して弁体３６内に流入する。そして、温水は第二流通路Ｒ２  を流れて第四ポートＰ４  から排出され、ドレン管１２を介して図示しない排水路に排出される。
【００３８】
上記のように、温水循環経路Ｋ１  から逆洗浄経路Ｋ２  経路を変更し、かつ温水を逆流することにより、流路管１１ｂ〜１１ｄの内壁や、浄化槽９の内壁、加熱殺菌槽１０の内壁に付着している人体からの老廃物等の汚れかすは剥離洗浄される。また、浄化槽９内の浄化石は逆流する温水の流圧により攪拌され、その表面に付着している人体からの老廃物等の汚れかすは剥離洗浄される。この汚れかすを含む温水は浴槽２内に戻ることなく排水路に排出される。
【００３９】
（洗浄時）
続いて、洗浄時の作用について説明する。図示しない制御回路が弁体３６を図７に示す洗浄位置に切換える。すると、弁体３６の流出口４１と第一ポートＰ１  、弁体３６の流入口４４と第三ポートＰ３  、弁体３６の流出口４５と第四ポートＰ４  とが連通される。循環ポンプ７の駆動により浴槽２内の温水は、図１１に示すように、既に説明した温水循環時と同経路で、五方切換弁８の第一ポートＰ１  から排出され、浄化槽９及び加熱殺菌槽１０を介して五方切換弁８の第三ポートＰ３  に戻される。そして、弁体３６内に流入した温水は、第三流通路Ｒ３  を流れて第四ポートＰ４  から排出され、ドレン管１２を介して図示しない排水路に排出される。
【００４０】
上記のように、温水を逆洗浄した後、逆洗浄経路Ｋ２  から洗浄経路Ｋ３  へ経路を変更し、かつ温水循環処理時と同じ方向に温水を流すことにより、逆洗浄時に各流路管１１ｂ〜１１ｄの内壁や、浄化槽９内及び加熱殺菌槽１０内に残留した汚れかすが、温水の流れとともに、温水は浴槽２内に戻ることなく排水路に排出される。
【００４１】
（空循環時）
続いて、空循環時の作用について説明する。図示しない制御回路が弁体３６を図８に示す洗浄位置に切換える。すると、弁体３６の流出口４１と第二ポートＰ２  とが連通される。循環ポンプ７の駆動により浴槽２内の温水は図１２に示すように、既に説明した温水循環時と同経路で流入ポートＰｅを介して弁体３６内に流入する。そして、温水は第一流通路Ｒ１  を流れて第二ポートＰ２  から排出され、吐水管５を介して浴槽２内へ吐出する。
【００４２】
上述したように、温水循環経路Ｋ１  から洗浄経路Ｋ４  へ経路を変更することにより、浄化槽９や加熱殺菌槽１０を介さない分温水の経路は短くなるため、流圧のロスがない。このため、空循環時において浴槽２内に戻される温水の流圧は、温水循環時よりも高められる。よって、温水は浴槽２内に勢いよく吐出されるので、吐水管５の下流端に気泡発生装置等がある場合には、同装置から気泡が勢いよく出るようになる。
【００４３】
従って、本実施例の温水循環処理装置においては、五方切換弁８の側部に第一〜第四ポートＰ１  〜Ｐ４  を設けた。そのため、吐水管５、流路管１１ｂ，１１ｄ及びドレン管１２を五方切換弁８の下方から廻す必要がないので、五方切換弁８の下方付近に各ポートＰ１  〜Ｐ４  に対する各管５，１１ｂ，１１ｄ，１２の接続スペースを確保しなくてもよい。その結果、本体ケース６の上下方向の寸法を短くできる。
【００４４】
しかも、第一〜第四ポートＰ１  〜Ｐ４  は、その軸線Ｌ１  ，Ｌ２  が正面板６ａ及び背面板６ｂに対して斜め（θ＝約４５°）に交差するように配置した。そのため、各ポートＰ１  〜Ｐ４  の軸線Ｌ１  ，Ｌ２  を両板６ａ，６ｂに対して直交配置するよりも、各ポートＰ１  ，Ｐ３  の先端と正面板６ａとの間の距離、及び各ポートＰ２  ，Ｐ４  の先端と背面板６ｂとの間の距離は長くなる。この距離を確保することにより、五方切換弁８の側部と正面板６ａ及び背面板６ｂとの距離を短くして、かつ各ポートＰ１  〜Ｐ４  に対する各管５，１１ｂ，１１ｄ，１２の接続スペースを十分に確保できて、本体ケース６の幅方向の寸法を短くできる。よって、本体ケース６の全体を小型化できる。
【００４５】
また、従来と異なり、五方切換弁８の下面に吐水管５、流路管１１ｂ，１１ｄ及びドレン管１２の配置スペースを確保する必要がない。そのため、五方切換弁８の底面積を小さくでき、五方切換弁８全体を小型化できる。よって、五方切換弁８を収容している本体ケース６も小型化できる。
【００４６】
さらに、五方切換弁８は本体ケース６の上部に設けられているので、五方切換弁８に接続された管５，１１ｂ，１１ｄ，１２と、循環ポンプ７、浄化槽９、加熱殺菌槽１０等に接続された管４，５，１１ｃとが本体ケース６の下部付近に集中的に配管されない。よって、本体ケース６の下部に配管するための大スペースを確保しなくてよく、本体ケース６全体を小型化できる。
【００４７】
なお、本発明の趣旨から逸脱しない範囲で以下のように変更してもよい。
【００４８】
（１）上記実施例における五方弁切換８は切換弁支持枠１８にて支持した。これ以外にも、上部フレーム６ｃに吊下棒等を取付け、吊下棒の先端に五方弁切換８を着脱可能に設けてもよい。この構成にすれば、本体ケース６内部の構造をより一層簡素化できる。
【００４９】
以上、この発明の各実施例について説明したが、各実施例から把握できる請求項以外の技術的思想について、以下にそれらの効果と共に記載する。
（ａ）請求項１に記載の温水循環処理装置において、切換弁８を本体ケース６の幅方向ほぼ中央に配置し、温水流通ポートＰ１  〜Ｐ４  の軸線Ｌ１  ，Ｌ２  と本体ケース６の壁面に対して交差する角度θはほぼ４５°である温水循環処理装置。この構成によれば、温水流通ポートＰ１  〜Ｐ４  に対する各温水流通管５，１１ｂ，１１ａ，１２の接続スペースを確保できるので、本体ケース６の幅方向の厚みを薄くできる。
【００５０】
【発明の効果】
以上詳述したように請求項１の発明によれば、温水流通ポートは五方切換弁の側部に等間隔離間して設けられているので、五方切換弁の下方において温水流通ポートに対する温水流通管の接続スペースを確保する必要がない。この結果、本体ケースの上下方向の寸法を短くできる。しかも、温水流通ポートの軸線は本体ケースの壁面に対して斜めに交差しているので、温水流通ポートと本体ケースの壁面間には、温水流通ポートに対する温水流通管の接続スペースを確保できる。従って、五方切換弁と本体ケースの壁面とを近接配置できて、本体ケースの幅方向の寸法を短くできる。
【００５１】
また、五方切換弁は浄化槽と加熱殺菌槽との間でかつ本体ケースの上部に配置されているため、切換弁の下方における温水流通ポートに対する温水流通管の接続スペースを広くできる。
【図面の簡単な説明】
【図１】一実施例を示す温水循環処理装置の内部を示す正断面図である。
【図２】同じく、温水循環処理装置の内部を示す左側面図である。
【図３】同じく、五方切換弁の取付構造を示す平面図である。
【図４】同じく、五方切換弁の縦断面図である。
【図５】同じく、五方切換弁の概略平断面図である。
【図６】同じく、五方切換弁の概略平断面図である。
【図７】同じく、五方切換弁の概略平断面図である。
【図８】同じく、五方切換弁の概略平断面図である。
【図９】同じく、温水循環時における温水の流れを示す説明図である。
【図１０】同じく、逆洗浄時における温水の流れを示す説明図である。
【図１１】同じく、洗浄時における温水の流れを示す説明図である。
【図１２】同じく、空循環時における温水の流れを示す説明図である。
【図１３】同じく、温水循環処理装置の斜視図である。
【図１４】従来の技術における温水循環処理装置の概略説明図である。
【符号の説明】
５…吐水管（温水流通管）、６…本体ケース、８…五方切換弁（切換弁）、９…浄化槽、９ａ…上部ポート（一次側ポート）、１１ｂ，１１ｄ…流路管（温水流通管）、１２…ドレン管（温水流通管）、９ｂ…下部ポート（二次側ポート）、Ｐ1 〜Ｐ4 …第一〜第四ポート（温水流通ポート）
【図１】
0003616147.tif 000002
【図２】
0003616147.tif 000003
【図３】
0003616147.tif 000004
【図４】
0003616147.tif 000005
【図５】
0003616147.tif 000006
【図６】
0003616147.tif 000007
【図７】
0003616147.tif 000008
【図８】
0003616147.tif 000009
【図９】
0003616147.tif 000010
【図１０】
0003616147.tif 000011
【図１１】
0003616147.tif 000012
【図１２】
0003616147.tif 000013
【図１３】
0003616147.tif 000014
【図１４】
0003616147.tif 000015